(57)【要約】【目的】  乗り物の各座席のバックルにそれぞれ装着されたシートベルトを運転手などが一回の操作により一括に解除することができるシートベルト一括解除装置を提供する。【構成】  各シートベルトにそれぞれ摺動可能に取り付けられたタングプレートの先端の係止穴と、前記各シートベルトがそれぞれ装着されるバックル内に設けられ前記係止穴と係止される係止片と、前記バックル内にそれぞれ設けられ、前記各係止片が前記各係止穴に係止されているとき、前記各係止片の前記各係止穴への係止を外すように駆動するための駆動部と、前記各係止片が前記各係止穴から外れるように前記駆動部を制御するための制御部と、前記乗り物の運転席又はその近傍に備えられ、前記制御部による前記各駆動部の制御を開始させるための信号を前記制御部に送るための解除ボタンと、を備えたシートベルト一括解除装置である。【選択図】    図１
2006111080.tif 000002
【特許請求の範囲】
【請求項１】
乗り物の複数の座席にそれぞれ設置された各シートベルトの装着を一括して解除するためのシートベルト一括解除装置であって、
前記各シートベルトにそれぞれ摺動可能に取り付けられたタングプレートの先端の係止穴と、
前記各シートベルトがそれぞれ装着されるバックル内に設けられた係止片であって前記係止穴に係止される係止片と、
前記バックル内にそれぞれ設けられ、前記各係止片が前記各係止穴に係止されているとき、前記各係止片を前記各係止穴から外すように駆動するための駆動部と、
前記各係止片が前記各係止穴から外れるように前記駆動部を制御するための制御部と、
前記乗り物の運転席、客室乗務員席、又はそれらの近傍に備えられ、前記制御部による前記各駆動部の制御を開始させるための信号を前記制御部に送るための解除ボタンと、
を備えたことを特徴とするシートベルト一括解除装置。
【請求項２】
請求項１において、前記制御部は、前記解除ボタンからの信号に基づいて、前記乗り物において装着されている全てのシートベルトの係止片を前記係止穴から同時に外すように前記駆動部を制御するものである、ことを特徴とするシートベルト一括解除装置。
【請求項３】
請求項１又は２において、前記駆動部は前記制御部からの信号により所定時間だけ電源が供給されて前記係止片を吸引する電磁石である、ことを特徴とするシートベルト一括解除装置。
【発明の詳細な説明】
【技術分野】
【０００１】
本発明は、乗り物の各座席に設けられたシートベルトを運転手などが一回の操作により一括して解除することができるシートベルト一括解除装置に関する。
【背景技術】
【０００２】
従来より、自動車や航空機などの各座席にそれぞれシートベルトが設けられ、乗員はそれぞれ自分でシートベルトを装着したり解除したりしている。このシートベルトの装着及び解除に関しては、その操作の簡易化が課題とされており、様々な提案がなされている（例えば、乗員がレリーズボタンを視認しやすくするための工夫を提案するものとして特許文献１参照）。
【特許文献１】特開平０５−２２８００８号公報
【発明の開示】
【発明が解決しようとする課題】
【０００３】
しかしながら、シートベルトの操作、特にその解除の操作は、高齢者、幼児、障害者などが利用する場合、操作が困難であり客室乗務員などの手助けが必要となる場合が少なくない。また、通常の大人でも、事故や災害などの緊急時には冷静さを欠いてしまうため、シートベルトを迅速に解除することが困難になることが少なくない。
【０００４】
本発明はこのような従来技術の問題点に着目してなされたものであって、乗り物の各座席のバックルにそれぞれ装着されたシートベルトを運転手などが一回の操作により一括に解除することができるシートベルト一括解除装置を提供することを目的とする。
【課題を解決するための手段】
【０００５】
乗り物の複数の座席にそれぞれ設置された各シートベルトの装着を一括して解除するためのシートベルト一括解除装置であって、前記各シートベルトにそれぞれ摺動可能に取り付けられたタングプレートの先端の係止穴と、前記各シートベルトがそれぞれ装着されるバックル内に設けられ前記係止穴と係止される係止片と、前記バックル内にそれぞれ設けられ、前記各係止片が前記各係止穴に係止されているとき、前記各係止片の前記各係止穴への係止を外すように駆動するための駆動部と、前記各係止片が前記各係止穴から外れるように前記駆動部を制御するための制御部と、前記乗り物の運転席、客室乗務員席、又はそれらの近傍の場所（特に運転手や客室乗務員が操作しやすい場所）に備えられ、前記制御部による前記各駆動部の制御を開始させるための信号を前記制御部に送るための解除ボタンと、を備えたことを特徴とするシートベルト一括解除装置。
【０００６】
また、本発明のシートベルト一括解除装置においては、前記制御部は、前記解除ボタンからの信号に基づいて、前記乗り物の各座席において装着されている全てのシートベルトの係止片を前記係止穴から同時に外すように前記駆動部を制御するものである、ことが望ましい。
【０００７】
さらに、本発明のシートベルト一括解除装置においては、前記駆動部は前記制御部からの信号により所定時間だけ電源が供給されて前記係止片を吸引する電磁石である、ことが望ましい。
【発明の効果】
【０００８】
本発明によれば、運転手やパイロットなどが一回の操作を行うだけで乗り物内において装着されている全てのシートベルトを一括に解除させることができるので、従来のように高齢者、幼児、障害者などがシートベルトの解除に戸惑ってしまい降車がスムーズにできないという不都合を回避することができる。
【０００９】
また、本発明によれば、事故や災害などの緊急時において、運転手やパイロットなどが一回の操作を行うだけで乗り物内において装着されている全てのシートベルトを一括に解除させることができるので、従来のように乗員が緊急事態発生のために冷静さを欠いてしまいシートベルトがうまく解除できず避難行動が遅れてしまうなどの不都合を回避することができる。
【発明を実施するための最良の形態】
【００１０】
本発明を実施するための最良の形態においては、例えば、運転席の近傍に備えられたボタンを運転手が操作することにより、各座席のシートベルトが一括して解除される。
【実施例１】
【００１１】
図１は本発明の実施例１による自動車用のシートベルト一括解除装置を説明するための断面図である。図１において、１はシートベルト２が摺動可能に連結された金属製のタングプレート（図３の斜視図参照）、３は自動車本体に固定されたバックルである。前記タングプレート１の図示下端部には係止穴１ａが形成されている。この図１は、前記タングプレート１が前記バックル３内に挿入されることによりシートベルト２が装着（係止）されている状態を示している。
【００１２】
次に、前記バックル３の内部構造を図１を参照して説明する。図１において、３ａはバックルの筐体、５は回動軸４を中心に回動可能に設けられた係止片、６は乗員が手動でシートベルトの装着を解除するためレリーズボタン、である。前記レリーズボタン６は、前記バックル３の筐体３ａの一部の開口部から露出されている。また、前記レリーズボタン６は、前記バックル筐体３ａに、板バネ７により、図示左右方向に所定距離だけ移動可能に、取り付けられている。
【００１３】
また、図１において、８は前記レリーズボタン６を図示左方向に付勢するためのスプリング（図示右側端部が前記筐体３ａに固定されている）、９は前記係止片５を図示時計回り方向に付勢するためのスプリング（図示右側端部が前記筐体３ａに固定されている）、１０は前記筐体３ａに固定されたストッパであって前記係止片５が前記スプリング９により図示時計回り方向に付勢されるとき、図１に示す位置よりも図示時計回り方向に回動しないようにするためのストッパ、である。
【００１４】
また、図１において、１１は前記タングプレート１が前記バックル３に挿入されたとき、前記タングプレート１の下端部を受けるための受け部、１２はその図示下端部が前記ストッパ１０に固定されており前記受け部１１を図示上方に付勢するためのスプリング、である。
【００１５】
また、図１において、１３は前記筐体３ａに固定された電磁石である。前記電磁石１３は、前記係止片５を図示反時計回り方向に回動させるために前記係止片５の図示下端部５ｂを吸引するためのものである。
【００１６】
また、図１において、１４は前記電磁石１３に電源を供給するための電源、１５は前記電源１４から前記電磁石１３への電源の供給及びその切断を所定のタイミングで行うためのスイッチ、１６は前記スイッチ１５を制御するためのＣＰＵ（中央処理装置）、１７は運転席の近傍に設けられ運転手が自動車内の各座席の全ての装着されたシートベルトを一括して解除するために操作する解除ボタン、である。
【００１７】
次に、図１を参照して本実施例１によるシートベルト装着時の動作を説明する。シートベルト２が装着されていないときは、前記バックル３内の係止片５は、前記スプリング９と前記ストッパ１０の作用により、図１に示す位置に止まっている。その後、前記タングプレート１が前記バックル３内に挿入されたときは、前記タングプレート１の下端部が前記係止片５の上端部５ａの傾斜面５ｃを摺動しながら下降するため、前記係止片５は少しだけ図示反時計回り方向に回動する。その後、前記タングプレート１がさらに下降して、その係止穴１ａが前記係止片５の鉤状先端部５ａと対向する位置まで下降したとき（このとき前記タングプレート１の下端部が前記受け部１１に当接する）、前記タングプレート１の係止穴１ａに前記係止片５の鉤状先端部５ａが挿入される。この「前記タングプレート１の係止穴１ａへの前記係止片５の鉤状先端部５ａの挿入」により、前記係止片５は前記スプリング９の作用（付勢）により少しだけ図示時計回り方向に回動して、図１に示す位置に復帰する。以上により、前記タングプレート１及びシートベルト２の３バックルへの装着が完了する。
【００１８】
次に、図２を参照して本実施例１においてシートベルト２を装着した（図１参照）後に、運転手が手元の解除ボタン１７を操作することにより複数のシートベルト２を一括に解除するときの動作を説明する。今、運転手が手元の解除ボタン１７を操作すると、その操作信号がＣＰＵ１６に送信される。この信号を受けたＣＰＵ１６は、前記スイッチ１５を制御して、前記電源１４からの電源を所定の時間だけ、例えば１秒間だけ各座席の各バックル３内にそれぞれ備えられた前記電磁石１３に供給する。すると、前記電磁石１３は前記係止片５の図示下端部５ｂを強く吸引する。この吸引により、前記係止片５は、前記スプリング９の力に抗して図示反時計回り方向に回動する。この回動により、前記係止片５の鉤状先端部５ａが前記タングプレート１の係止穴１ａから外れて、図２に示すような状態となる。このとき、前記タングプレート１は、その下端部が当接している前記受け部１１及びこの受け部１１を図示上方に付勢しているスプリング１２により、図示上方に勢いよく跳ね上げられるので、前記タングプレート１が前記バックル３から抜け出す。以上により、前記シートベルト２の装着の一括解除が完了する。
【００１９】
なお、以上は運転手が手元の解除ボタン１７を操作したときの一括解除動作であるが、各座席の乗員は前記レリーズボタン６をバックル３の内部方向に押すことによって、自分の座席のシートベルトだけを個別に解除することが可能である。この場合は、各乗員が自分の座席に在る前記レリーズボタン６を前記スプリング８の力に抗してバックル３の内部方向に押すことにより、前記係止片５の下端部５ｂが図示右方向（前記電磁石１３の方向）に移動し、前記係止片５が図示反時計回り方向に回動する。この過程で、前記係止片５の鉤状先端部５ａが前記タングプレート１の係止穴１ａから外れて、図２に示すような状態となる。以後は、前記と同様に、前記タングプレート１が、前記受け部１１及びこの受け部１１を図示上方に付勢しているスプリング１２により図示上方に勢いよく跳ね上げられ、前記バックル３から抜け出す。
【００２０】
次に、図４は本実施例１の電気的構成をより詳細に説明するための概略ブロック図である。図４に示すように、本実施例１では、自動車の各座席のバックル３内にそれぞれ電磁石１３ａ，１３ｂ，１３ｃ，１３ｄ，１３ｅが備えられている。これらの各電磁石１３ａ−１３ｅは、前記ＣＰＵ１６及びスイッチ１５により、電源供給の有無や電源供給のタイミングが一括に制御されている。よって、本実施例１においては、例えば運転手が手元の解除ボタン１７を操作するだけで、前記ＣＰＵ１６及びスイッチ１５により、前記の各座席の全てのバックル３内の電磁石１３ａ−１３ｅを一括に制御・駆動して、前記の各座席の装着された全てのシートベルトを一括に解除することができる。
【００２１】
以上、本発明の各実施例について説明したが、本発明及び本発明を構成する各構成要件は、それぞれ、前記の実施例及び前記の実施例を構成する各要素として述べたものに限定されるものではなく、様々な変更が可能である。例えば、前記実施例１では自動車を例にした説明したが、本発明はこれに限られるものではなく、例えば飛行機やバスなどの各座席に備えられたシートベルトの解除のためにも適用できる。また、前記の実施例においては、シートベルト装着用の係止片を係止穴から外すための駆動部として電磁石を利用しているが、本発明においては、電磁石以外の構成、例えば機械的な構成を使用してもよいことは勿論である。
【図面の簡単な説明】
【００２２】
【図１】本発明の実施例１によるシートベルト一括解除装置を説明するための断面図。
【図２】本実施例１のシートベルトの解除動作を説明するための断面図。
【図３】本実施例１のシートベルト及びタングプレートを示す斜視図。
【図４】本実施例１の電気的構成を説明するための概略ブロック図。
【符号の説明】
【００２３】
１          タングプレート
１ａ      係止穴
２          シートベルト
３          バックル
３ａ      バックル筐体
４          回動軸
５          係止片
５ａ      鉤状先端部
５ｂ      下端部
５ｃ      傾斜面
６          レリーズボタン
７          板バネ
８，９，１２     スプリング
１０      ストッパ
１３，１３ａ，１３ｂ，１３ｃ，１３ｄ，１３ｅ            電磁石
１４      電源
１５      スイッチ
１６      ＣＰＵ
１７      解除ボタン
【図１】
2006111080.tif 000003
【図２】
2006111080.tif 000004
【図３】
2006111080.tif 000005
【図４】
2006111080.tif 000006
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
バスなどを含む自動車内の複数の客席にそれぞれ設置された各シートベルトの装着を一括して解除するためのシートベルト一括解除装置であって、
前記各客席のシートベルトにそれぞれ摺動可能に取り付けられたタングプレートの先端の係止穴と、
前記各客席のシートベルトがそれぞれ装着されるバックル内に設けられた係止片であって前記係止穴に係止される係止片と、
前記各バックル内にそれぞれ設けられ、前記各係止片が前記各係止穴に係止されているとき、前記各係止片を前記各係止穴から外すように駆動するための駆動部と、
前記各係止片が前記各係止穴から外れるように前記各駆動部を同時に一括して制御するための制御部と、
前記自動車の運転席又はその近傍に備えられ、前記制御部による前記各駆動部の制御を同時に一括して開始させるための信号を前記制御部に送るための解除ボタンと、
を備えたことを特徴とするシートベルト一括解除装置。
【請求項２】
飛行機内の複数の客席にそれぞれ設置された各シートベルトの装着を一括して解除するためのシートベルト一括解除装置であって、
前記各客席のシートベルトにそれぞれ摺動可能に取り付けられたタングプレートの先端の係止穴と、
前記各客席のシートベルトがそれぞれ装着されるバックル内に設けられた係止片であって前記係止穴に係止される係止片と、
前記各バックル内にそれぞれ設けられ、前記各係止片が前記各係止穴に係止されているとき、前記各係止片を前記各係止穴から外すように駆動するための駆動部と、
前記各係止片が前記各係止穴から外れるように前記各駆動部を同時に一括して制御するための制御部と、
前記飛行機の運転席の近傍又は客室乗務員席の近傍に備えられ、前記制御部による前記各駆動部の制御を同時に一括して開始させるための信号を前記制御部に送るための解除ボタンと、
を備えたことを特徴とするシートベルト一括解除装置。
【請求項３】
請求項１又は２において、前記制御部は、前記解除ボタンからの信号に基づいて、前記複数の客席の全てに装着されている各シートベルトの係止片を前記各係止穴から同時に一括して外すように前記駆動部を制御するものである、ことを特徴とするシートベルト一括解除装置。